(57)【特許請求の範囲】
【請求項１】
被検体の木構造を含む第１の撮像画像及び第２の撮像画像を取得する取得部と、
前記第１の撮像画像及び前記第２の撮像画像の各々の木構造の分岐点を抽出する抽出部と、
前記分岐点の特徴量に基づいて、前記第１の撮像画像の前記分岐点と前記第２の撮像画像の前記分岐点との間の類似度を算出する算出部と、
前記算出部が算出した前記分岐点の類似度に基づいて、前記第１の撮像画像の前記分岐点と前記第２の撮像画像の前記分岐点との間で対応する経路を特定する特定部と、
を備え、
前記特定部は、前記抽出部により抽出された分岐点を分岐点候補とし、分岐点の間の類似度に基づいて、各分岐点候補に優先順位をつける、医用画像処理装置。
【請求項２】
前記特定部は、前記算出部が算出した前記分岐点の類似度に基づいて、前記第１の撮像画像と前記第２の撮像画像の間で対応する分岐点を特定し、特定した各分岐点からなる経路を前記木構造の間で対応する経路として特定する請求項１に記載の医用画像処理装置。
【請求項３】
前記算出部は、前記特定部により複数の経路が特定された場合に、経路を構成する各分岐点の特徴量の集合に基づいて、前記第１の撮像画像の基準経路と前記第２の撮像画像の前記複数の経路のそれぞれとの間の類似度を算出し、
前記特定部は、前記算出部が算出した各経路の間の類似度に基づいて、前記木構造の間で対応する経路を特定する、請求項１に記載の医用画像処理装置。
【請求項４】
前記取得部は、
木構造を複数のレベルに分割し、シードポイントが存在するレベルを出発点とし、レベル毎の木構造の対応する部分を順次取得し、完全な木構造となるように、取得した部分を組み合わせるマルチレベル取得部と、
前のレベルの取得結果を評価し、評価結果に基づいて、現在のレベルにおいて前記マルチレベル取得部が実行する取得方法を特定する方法特定部と、
を備える、請求項１に記載の医用画像処理装置。
【請求項５】
前記方法特定部は、前記シードポイントが存在するレベルの取得方法を領域拡張法とし、前のレベルの分割結果のフィードバックに基づいて、現在のレベルのパラメータを適応的に調整することで、現在のレベルの結果を適応的に取得する処理を、木構造全体の成長が完成するまで繰り返す、請求項４に記載の医用画像処理装置。
【請求項６】
前記木構造を複数の領域に区画する区画部を更に備え、
前記抽出部は、前記区画部に区画された領域に基づいて、領域内で分岐点の抽出を行う、請求項１に記載の医用画像処理装置。
【請求項７】
前記区画部は注目領域を特定し、
前記抽出部は前記注目領域のみに対して分岐点の抽出を行う、請求項６に記載の医用画像処理装置。
【請求項８】
前記特定部は、前記優先順位に基づき、複数の前記分岐点候補の中から分岐点を選択する、請求項１に記載の医用画像処理装置。
【請求項９】
前記算出部は、木構造における分岐点の位置に基づいて、各分岐点に重み付けをし、各分岐点の間の類似度を算出する、請求項１に記載の医用画像処理装置。
【請求項１０】
前記算出部は、木構造のレベルに基づいてレベル分けをし、同一のレベルの分岐点の間の類似度のみを算出する、請求項１に記載の医用画像処理装置。
【請求項１１】
被検体の木構造を含む第１の撮像画像及び第２の撮像画像を取得する取得部と、
前記第１の撮像画像及び前記第２の撮像画像の各々の木構造の分岐点を抽出する抽出部と、
前記分岐点の特徴量に基づいて、前記第１の撮像画像の前記分岐点と前記第２の撮像画像の前記分岐点との間の類似度を算出する算出部と、
前記算出部が算出した前記分岐点の類似度に基づいて、前記第１の撮像画像の前記分岐点と前記第２の撮像画像の前記分岐点との間で対応する経路を特定する特定部と、
を備え、
前記取得部は、前記木構造の芯線を取得し、
前記算出部は、前記第１の撮像画像の前記分岐点から分岐される複数の前記芯線と、前記第２の撮像画像の前記分岐点から分岐される複数の前記芯線とに基づいて、前記類似度を算出する、医用画像処理装置。
【請求項１２】
前記算出部は、前記第１の撮像画像の前記分岐点における前記芯線同士の成す角度と、前記第２の撮像画像の前記分岐点における前記芯線同士の成す角度とに基づいて、前記類似度を算出する、請求項１１に記載の医用画像処理装置。
【請求項１３】
前記算出部は、前記第１の撮像画像の前記分岐点から分岐された２つの前記芯線の長さと、前記第２の撮像画像の前記分岐点から分岐された２つの前記芯線の長さとに基づいて、前記類似度を算出する、請求項１１に記載の医用画像処理装置。
【請求項１４】
被検体の木構造を含む第１の撮像画像及び第２の撮像画像を取得する取得部と、
前記第１の撮像画像及び前記第２の撮像画像の各々の木構造の分岐点を抽出する抽出部と、
前記分岐点の特徴量に基づいて、前記第１の撮像画像の前記分岐点と前記第２の撮像画像の前記分岐点との間の類似度を算出する算出部と、
前記算出部が算出した前記分岐点の類似度に基づいて、前記第１の撮像画像の前記分岐点と前記第２の撮像画像の前記分岐点との間で対応する経路を特定する特定部と、
を備え、
前記抽出部は、前記第１の撮像画像及び前記第２の撮像画像の各々の前記木構造の前記分岐点における当該木構造の断面を抽出し、
前記算出部は、前記第１の撮像画像の前記分岐点における前記木構造の断面の形状と、前記第２の撮像画像の前記分岐点における前記木構造の断面の形状とに基づいて、前記類似度を算出する、医用画像処理装置。
【請求項１５】
被検体の木構造を含む第１の撮像画像及び第２の撮像画像を取得する取得ステップと、
前記第１の撮像画像及び前記第２の撮像画像の各々の木構造の分岐点を抽出する抽出ステップと、
前記分岐点の特徴量に基づいて、前記第１の撮像画像の前記分岐点と前記第２の撮像画像の前記分岐点との間の類似度を算出する算出ステップと、
前記算出ステップで算出した前記分岐点の類似度に基づいて、前記第１の撮像画像の前記分岐点と前記第２の撮像画像の前記分岐点との間で対応する経路を特定する特定ステップと、
を含み、
前記特定ステップは、前記抽出ステップにより抽出された分岐点を分岐点候補とし、分岐点の間の類似度に基づいて、各分岐点候補に優先順位をつける、医用画像処理方法。
【発明の詳細な説明】
【技術分野】
【０００１】
本発明の実施形態は、医用画像処理装置および医用画像処理方法に関する。
【背景技術】
【０００２】
近年、ＣＯＰＤ（Chronic  Obstructive  Pulmonary  Disease：慢性閉塞性肺疾患）、肺気腫、気管や気管支の疾患などに対して病状解析を行う医用画像処理装置がある。例えば、医用画像処理装置は、気管支の３Ｄ（３次元）画像の異なる時相で取得された木構造を含む複数の画像に対して位置合わせ（マッチング）を行う。しかしながら、３Ｄ画像の間には、生理学的および病理学的違いが存在し、呼吸などの動作により、異なる時相において、３Ｄ画像間は変化を有する。このため、３Ｄ画像間の全自動位置合わせの実現は困難であり、かつ、ノイズに敏感であることや、計算量が膨大になることなどの問題も存在する。
【０００３】
特許文献１では、物理的オブジェクトまたはモデルを表すツリー状構造を収集し、一つのツリー状構造から一つの経路（パス）を抽出し、もう一つのツリー状構造から一つの経路を抽出し、類似度測定結果を算出することで２つの経路を比較し、類似度測定結果に基づいて２つの経路が一致しているか否かを定める。
【０００４】
特許文献２では、そのマッチングアルゴリズムは、関連付けグラフ法に基づいており、階層分割を導入し、一度に二つのサブツリーのみをマッチングすることにより、計算時間が大幅に低減される。
【０００５】
しかしながら、特許文献１に記載された技術の欠点は、ノイズや偽の芯線に敏感であり、かつ、特徴点が多く、計算の負担が大きいことである。
【０００６】
また、特許文献２に記載された技術の欠点は、主な分岐点がノイズや偽の芯線に敏感であり、また、関連グラフの解決はＮＰ完全問題であり、計算の負担が大きいことである。
【０００７】
従来の技術における位置合わせ結果の一例について説明する。図１２は従来の技術における位置合わせ結果の一例を示す図である。ある時相（以下、時相１と称する）で取得された画像を基礎画像として位置合わせを行う場合、時相１で取得された画像（図１２において左側の図）において利用者が関心のある「２」で標記された経路に対して、他の時相（以下、時相２と称する）で取得された画像（図１２において中央の図）における実際の位置合わせ結果は「２」で標記された経路である。ここで、時相２での所望の位置合わせ結果は、図１２において右側の図に示されるように、「３」で標記された経路である。このように、時相２で取得された画像における実際のマッチング結果である「２」で標記された経路は明らかに左側に偏っていることが分かる。
【先行技術文献】
【特許文献】
【０００８】
【特許文献１】米国特許第７６４６９０３号明細書
【特許文献２】米国特許出願公開第２０１２／０２６３３６４号明細書
【発明の概要】
【発明が解決しようとする課題】
【０００９】
本発明が解決しようとする課題は、計算量を低減すると同時に画像の位置合わせ精度を確保することができる医用画像処理装置および医用画像処理方法を提供することである。
【課題を解決するための手段】
【００１０】
実施形態の医用画像処理装置は、取得部と、抽出部と、算出部と、特定部とを備える。取得部は、被検体の木構造を含む第１の撮像画像及び第２の撮像画像を取得する。抽出部は、第１の撮像画像及び第２の撮像画像の各々の木構造の分岐点を抽出する。算出部は、分岐点の特徴量に基づいて、第１の撮像画像の分岐点と第２の撮像画像の分岐点との間の類似度を算出する。特定部は、算出部が算出した分岐点の類似度に基づいて、第１の撮像画像の分岐点と第２の撮像画像の分岐点との間で対応する経路を特定する。特定部は、抽出部により抽出された分岐点を分岐点候補とし、分岐点の間の類似度に基づいて、各分岐点候補に優先順位をつける。
【図面の簡単な説明】
【００１１】
【図１】図１は、実施形態１の医用画像処理装置の構成の一例を示すブロック図である。
【図２】図２は、実施形態１の医用画像処理装置が行う医用画像処理方法の一例を示すフローチャートである。
【図３】図３は、実施形態における木構造分岐点の位置合わせの一例を説明する説明図である。
【図４】図４は、実施形態１の変形例の一例を説明するための図である。
【図５】図５は、実施形態２の位置合わせ処理の一例を示したフローチャートである。
【図６】図６は、抽出された特徴点の一例を示す説明図である。
【図７】図７は、位置合わせ結果の一例を示す説明図である。
【図８】図８は、実施形態３の取得部の構成の一例を示すブロック図である。
【図９】図９は、実施形態３において各レベルの木構造を取得する流れの一例を示したフローチャートである。
【図１０】図１０は、実施形態４の医用画像処理装置の構成の一例を示すブロック図である。
【図１１】図１１は、医用画像処理装置により特定の領域内で行われる位置合わせの一例を示す図である。
【図１２】図１２は従来の技術における位置合わせ結果の一例を示す図である。
【発明を実施するための形態】
【００１２】
実施形態の医用画像処理装置は、被検体の木構造を含む第１の撮像画像及び第２の撮像画像を取得する取得部と、第１の撮像画像及び第２の撮像画像の各々の木構造の分岐点を抽出する抽出部と、分岐点の特徴量に基づいて、第１の撮像画像の分岐点と第２の撮像画像の分岐点との間の類似度を算出する算出部と、算出部が算出した分岐点の類似度に基づいて、第１の撮像画像の分岐点と第２の撮像画像の分岐点との間で対応する経路を特定する特定部と、を備える。
【００１３】
実施形態の医用画像処理装置が備える特定部は、算出部が算出した分岐点の類似度に基づいて、第１の撮像画像と第２の撮像画像の間で対応する分岐点を特定し、特定した各分岐点からなる経路を木構造の間で対応する経路として特定する。
【００１４】
実施形態の医用画像処理装置が備える算出部は、特定部により複数の経路が特定された場合に、経路を構成する各分岐点の特徴量の集合に基づいて、第１の撮像画像の基準経路と第２の撮像画像の複数の経路のそれぞれとの間の類似度を算出し、特定部は、算出部が算出した各経路の間の類似度に基づいて、木構造の間で対応する経路を特定する。
【００１５】
実施形態の医用画像処理装置が備える取得部は、木構造をその根部分から外へ複数のレベルに分割し、シードポイントが存在するレベルを出発点とし、レベル毎の木構造の対応する部分を順次取得し、完全な木構造となるように、取得した部分を組み合わせるマルチレベル取得部を備える。
【００１６】
実施形態の医用画像処理装置が備える方法特定部は、前のレベルの取得結果を評価し、評価結果に基づいて、現在のレベルにおいて前記マルチレベル取得部が実行する取得方法を特定する。
【００１７】
実施形態の医用画像処理装置が備える方法特定部は、シードポイントが存在するレベルの取得方法を領域拡張法とし、前のレベルの分割結果のフィードバックに基づいて、現在のレベルのパラメータを適応的に調整することで、現在のレベルの結果を適応的に取得する処理を、木構造全体の成長が完成するまで繰り返す。
【００１８】
実施形態の医用画像処理装置は、木構造を複数の領域に区画する区画部を更に備え、抽出部は、区画部に区画された領域に基づいて、領域内で分岐点の抽出を行う。
【００１９】
実施形態の医用画像処理装置が備える区画部は注目領域を特定し、抽出部は注目領域のみに対して分岐点の抽出を行う。
【００２０】
実施形態の医用画像処理装置が備える特定部は、抽出部により抽出された分岐点を分岐点候補とし、分岐点の間の類似度に基づいて、各分岐点候補に優先順位をつける。
【００２１】
実施形態の医用画像処理装置が備える算出部は、木構造における分岐点の位置に基づいて、各分岐点に重み付けをし、各分岐点の間の類似度を算出する。
【００２２】
実施形態の医用画像処理装置が備える算出部は、木構造の成長レベルに基づいてレベル分けをし、同一のレベルの分岐点の間の類似度のみを算出する。
【００２３】
また、実施形態の医用画像処理装置は、撮影画像に含まれる被検体の木構造を複数のレベルに分割し、シードポイントが存在するレベルを出発点とし、レベル毎の木構造の対応する部分を順次取得し、完全な木構造となるように、取得した部分を組み合わせるマルチレベル取得部と、前のレベルの取得結果を評価し、評価結果に基づいて、現在のレベルにおいて前記マルチレベル取得部が実行する取得方法を特定する方法特定部と、を備える。
【００２４】
また、実施形態の医用画像処理方法は、被検体の木構造を含む第１の撮像画像及び第２の撮像画像を取得する取得ステップと、第１の撮像画像及び第２の撮像画像の各々の木構造の分岐点を抽出する抽出ステップと、分岐点の特徴量に基づいて、第１の撮像画像の分岐点と第２の撮像画像の分岐点との間の類似度を算出する算出ステップと、算出ステップで算出した分岐点の類似度に基づいて、第１の撮像画像の分岐点と第２の撮像画像の分岐点との間で対応する経路を特定する特定ステップと、を含む。
【００２５】
また、実施形態の医用画像処理方法は、撮影画像に含まれる被検体の木構造を複数のレベルに分割し、シードポイントが存在するレベルを出発点とし、レベル毎の木構造の対応する部分を順次取得し、完全な木構造となるように、取得した部分を組み合わせるマルチレベル取得ステップと、前のレベルの取得結果を評価し、評価結果に基づいて、現在のレベルにおいて前記マルチレベル取得部が実行する取得方法を特定する方法特定ステップと、を含む。
【００２６】
以下、図面を参照しながら実施形態を説明する。なお、以下の説明は気管支の木構造を例として行われているが、実施形態は、気管支の木構造を示す画像に対する処理に限定されるものではなく、つまり、気管、気管支を含むがそれに限らず、他の木構造、例えば、脳神経や血管の構造を示す画像に対しても処理を行うことができる。
【００２７】
（実施形態１）
まず、実施形態の医用画像処理装置１について説明する。図１は、実施形態１の医用画像処理装置の構成の一例を示すブロック図である。図１の例に示すように、医用画像処理装置１は、取得部１１と、抽出部１２と、算出部１３と、特定部１４と、を備える。
【００２８】
取得部１１は、異なる時相における被検体の木構造を含む第１の撮像画像及び第２の撮像画像を取得する。ここで、取得部１１は、様々な従来の木構造を抽出する方法を利用して、撮像画像から木構造を抽出する。
【００２９】
抽出部１２は、第１の撮像画像及び第２の撮像画像に含まれる各々の木構造の分岐点を抽出する。分岐点とは、木構造において分岐の存在する根部分を表す点である。
【００３０】
また、本実施形態において、枝の芯線で木構造を表示する場合には、異なる芯線が収束する点を分岐点とする。算出部１３は、分岐点の特徴量に基づいて、第１の撮像画像の分岐点と第２の撮像画像の分岐点との間の類似度を算出する。
【００３１】
算出部１３は、類似度を、木構造における各分岐点の特徴量を比較することで算出することができる。例えば、算出部１３は、木構造で表す被検体の部位が気管支である場合、算出部１３の計算能力等に基づいて、分岐点が有する複数の特徴量のうち、いくつかの好適な特徴量、例えば、座標、方向、分岐レベルなどを選択して、比較関数を用いて類似度の計算を行う。
【００３２】
特定部１４は、算出部１３が算出した分岐点の間の類似度に基づいて、第１の撮像画像における木構造と第２の撮像画像における木構造との対応する経路を特定する。
【００３３】
医用画像処理装置１は、コンピュータでプログラムを読み取り、読み取ったプログラムを実行することで上述した各部の機能を発揮し、実現することができ、また、集積回路などのハードウェア構造をそれぞれ上述した各部とすることで実現することができる。
【００３４】
以下、実施形態１の医用画像処理装置１が行う医用画像処理方法について説明する。図２は、実施形態１の医用画像処理装置１が行う医用画像処理方法の一例を示すフローチャートである。
【００３５】
図２に示すように、医用画像処理装置１が行う医用画像処理方法は、取得ステップＳ１と、抽出ステップＳ２と、算出ステップＳ３と、特定ステップＳ４と、を有する。取得ステップＳ１において、取得部１１は、被検体の木構造を含む第１の撮像画像及び第２の撮像画像を取得する。抽出ステップＳ２において、抽出部１２は、第１の撮像画像及び第２の撮像画像に含まれる各々の木構造の分岐点を抽出する。算出ステップＳ３において、算出部１３は、分岐点の特徴量に基づいて、第１の撮像画像の分岐点と第２の撮像画像の分岐点との間の類似度を算出する。特定ステップＳ４において、算出部ステップＳ３で算出した分岐点の間の類似度に基づいて、第１の撮像画像の分岐点と第２の撮像画像の分岐点との間で対応する経路を特定する。
【００３６】
以下、実施形態１の医用画像処理装置１が行う医用画像処理方法の具体例を一つを挙げる。この具体例は本実施形態をより簡単に理解するために挙げられたものであり、本実施形態を限定するものではない。
【００３７】
本具体例では、取得ステップＳ１において、取得部１１は全ての時相での撮像画像における芯線ツリーを取得する。ここでの芯線ツリーは、枝を芯線として表された木構造である。
【００３８】
その後、抽出ステップＳ２において、抽出部１２は第１の時相での撮像画像（以下、第１の撮像画像と称する場合がある）における芯線部分の分岐点と第２の時相での撮像画像（以下、第２の撮像画像と称する場合がある）における芯線部分の分岐点とを抽出する。ここで、第１の時相とは、位置合わせを行う際の基準となる経路を含む撮像画像が取得された時相である。なお、位置合わせを行う際の基準となる経路は、基準経路とも称される。この基準経路は、利用者が関心のある経路等である。また、第２の時相とは、基準経路との位置合わせの対象となる経路を含む撮像画像が取得された時相である。
【００３９】
算出部１３は算出ステップＳ３を実行する。図３を参照しながら一例の算出ステップＳ３を説明する。図３は、実施形態における木構造分岐点の位置合わせの一例を説明する説明図である。図３を参照しながら、分岐点の類似度を算出することで基準経路に対応する経路を特定する過程を説明する。図３における位置合わせの目標は経路（ｆａ０−ｆａ１−ｆａ２１−ｆａ３１−ｆａ４２）である。すなわち、図３の例では、第１の撮像画像における経路（ｆａ０−ｆａ１−ｆａ２１−ｆａ３１−ｆａ４２）に対応する経路を第２の撮像画像から位置合わせにより得ることが目標となる。
【００４０】
分岐点の特徴で分岐点を標記する場合、第１の撮像画像の分岐点の特徴量をｆａとし、第２の撮像画像の分岐点の特徴量をｆｂとする。まず、第１の時相での第１の撮像画像と第２の時相での第２の撮像画像との分岐点ｆａ１，ｆｂ１の間の類似度を算出する。
【００４１】
特徴量の具体的な例について、例えば、各分岐点の特徴をｆｎ＝[ｘ１,ｘ２,ｘ３,ｘ４,ｘ５,ｘ６,ｘ７]Ｔとし、つまり、７つの特徴の配列で表す。ここで、ｘ１は、分岐点の位置である。ｘ２は、水平方向と、分岐点から分岐された２つの芯線のうち一方の芯線とが成す角の角度である。ｘ３は、分枝の長さである。ここでいう分岐の長さとは、例えば、分岐点から分岐された２つの芯線の長さの合計である。ｘ４は、分枝の角度である。ここでいう分岐の角度とは、例えば、分岐点から分岐された２つの芯線が成す角の角度である。ｘ５は、気管支の断面を示すテンプレート画像と、分岐点を含み芯線に直交する断面画像との類似度である。ｘ６は、分岐点を含み芯線に直交する断面における内腔の面積である。ｘ７は、輪郭パラメータ（例えば、分岐点を含み芯線に直交する断面における内腔の円形度）である。
【００４２】
類似度の計算は、木構造分岐点の情報、例えば断面積などに基づいて行われる。例えば、第１の撮像画像の分岐点の特徴量をｆａ１とし、第２の撮像画像の分岐点の特徴量をｆｂ１とする場合、２つの分岐点の間の類似度は関数Ｓ（ｆａ１，ｆｂ１）で表される。ここで、Ｓ（ｆａ１，ｆｂ１）＞δであり、δは予め設定された閾値であり、閾値δは経験又は統計結果に基づいて予め得られたものである。
【００４３】
算出した類似度がδよりも大きい場合、引き続き次のレベルの分岐点探索を行い、ステップ２を実行する。
【００４４】
ステップ２において、ｆａ２１とｆｂ２１、ｆｂ２２との類似度を算出する。ここでの結果は、Ｓ（ｆａ２１，ｆｂ２１）＞δであり、Ｓ（ｆａ２１，ｆｂ２２）＞δである。
【００４５】
Ｓ（ｆａ２１，ｆｂ２１）＞δ、Ｓ（ｆａ２１，ｆｂ２２）＞δであり、類似度は予め設定された閾値より大きいため、選択した分岐点ｆｂ２１、ｆｂ２２は有効である。類似度が予め設定された閾値よりも小さい場合、その分岐点で終了し、次のレベルの分岐点への更なる探索を停止する。
【００４６】
次に、ステップ３に移行し、ｆａ３１とｆｂ３１、ｆｂ３２、ｆｂ３３、ｆｂ３４との類似度を算出し、結果は以下の通りである。
Ｓ（ｆａ３１，ｆｂ３１）＞δ
Ｓ（ｆａ３１，ｆｂ３２）＜δ
Ｓ（ｆａ３１，ｆｂ３３）＜δ
Ｓ（ｆａ３１，ｆｂ３４）＜δ
【００４７】
ここで、類似度がδ未満の分岐点ｂ３２、ｂ３３、ｂ３４において、次のレベルの分岐点への更なる探索を停止する。
【００４８】
ステップ４において、ｆａ４２とｆｂ４１、ｆｂ４２との類似度を算出し、結果は以下の通りである。
Ｓ（ｆａ４２，ｆｂ４１）＜δ
Ｓ（ｆａ４２，ｆｂ４２）＞δ
【００４９】
その後、特定部１４はステップＳ４において、算出した分岐点の類似度に基づいて、第１の撮像画像と第２の撮像画像との間の対応する分岐点を特定し、特定した各分岐点からなる経路を、木構造間の対応する経路として特定する。つまり、上述した算出ステップＳ３を経て、特定ステップＳ４において、特定部１４が最終的に特定した経路はｂ０→ｂ１→ｂ２１→ｂ３１→ｂ４２である。このようにして、気管支領域（肺）全体の位置合わせが行われる。
【００５０】
医用画像処理装置１は、上述した位置合わせにより、第１の撮像画像と第２の撮像画像との間で、対応する経路を特定する。そして、医用画像処理装置１は、この位置合わせを繰り返し行って、複数の時相で対応する経路を特定し、特定された経路が示す気管支を時系列で解析し、時系列の解析結果を出力することができる。例えば、医用画像処理装置１は、特定された経路での気管支の断面の面積の大きさの変動を示すグラフを生成して、生成したグラフを表示する。また、医用画像処理装置１は、特定された経路での気管支の断面の動画を生成し、生成した動画を表示してもよい。
【００５１】
実施形態１の医用画像処理装置１および医用画像処理方法により、木構造を含む画像間の位置合わせを全自動かつ高精度で行うことができ、かつ、位置合わせにおけるノイズや偽の芯線に対するロバスト性を比較的高くすることができる。
【００５２】
また、算出した分岐点の類似度に基づいて、第１の撮像画像と第２の撮像画像との間の対応する分岐点を特定することができ、特定した各分岐点からなる経路を精度良く特定し、木構造間の対応する経路とすることができる。
【００５３】
また、本実施形態によれば、分岐点のみに対して類似度の計算を行い、その後に経路を特定し、かつ計算する際に類似度が閾値より小さい分岐点以降の分岐点を除去し続けているため、従来の技術と比べると、計算量が大幅に低減され、計算の効率を向上させることができる。
【００５４】
なお、説明の便宜上、ここでは、医用画像処理装置１による異なる２つの時相での画像の間の位置合わせについて説明したが、医用画像処理装置１は３つ以上の複数の時相での複数の画像を取得することができ、取得した複数の画像から第１の時相での第１の撮像画像とするものを選択し、その他の画像をそれぞれ第２の撮像画像とすることで、第２の撮像画像のそれぞれと第１の撮像画像との位置合わせを行うことができる。また、複数の撮像画像の間で互いに位置合わせを行い、一組の撮像画像の位置合わせを行うことができる。
【００５５】
（実施形態１の変形例）
ここで、算出部１３は、木構造のレベルに基づいて、同一のレベルの分岐点の間の類似度のみを算出することもできる。そこで、このような変形例を実施形態１の変形例として説明する。図４は、実施形態１の変形例の一例を説明するための図である。
【００５６】
図４の例に示すように、算出部１３は、木構造の最上部から底部までのレベル毎に、第２の時相で取得された第２の撮像画像から、第１の時相で取得された第１の撮像画像における各分岐点（基準分岐点）に対応する分岐点を候補分岐点として見つけ出す。ここで、算出部１３は、第２の撮像画像において、基準分岐点との間の類似度が所定の閾値よりも大きい分岐点を候補分岐点とすることで、特定部１４は、候補分岐点からなる経路を最終的に特定する。
【００５７】
（実施形態２）
ここで、上述した実施形態１及び実施形態１の変形例では、第２の撮像画像において類似度が閾値よりも大きい分岐点からなる経路が特定部１４により特定される。このため、第２の撮像画像において複数の経路が、類似度が閾値よりも大きい分岐点から構成される場合には、第２の撮像画像において特定される経路が複数となることも考えられる。そこで、複数の経路が特定された場合に、その複数の経路の中から１つの経路を最終的に特定する実施形態を、実施形態２として説明する。以下、図５、図６、図７、図８を参照しながら、実施形態２について説明する。実施形態２は、ブロック図が実施形態１と同一であるが、実施形態２の抽出部１２、算出部１３および特定部１４の動作は、実施形態１の抽出部１２、算出部１３および特定部１４の動作に加えて以下に説明する動作を追加したものである。以下、具体的に説明する。なお、実施形態１においてすでに説明した内容について、繰り返して説明せずに、実施形態１における対応する説明を援引する。
【００５８】
本実施形態の算出部１３は、第２の撮像画像において特定部１４により複数の経路が特定された場合に、経路を構成する各分岐点の特徴量の集合に基づいて、第１の撮像画像の木構造と第２の撮像画像の複数の木構造のそれぞれとの経路の間の類似度を算出し、特定部１４は、算出部１３が算出した第１の撮像画像の木構造と第２の撮像画像の複数の木構造のそれぞれとの経路の間の類似度に基づいて、第１の撮像画像の木構造と第２の撮像画像の木構造との間で対応する経路を特定する。
【００５９】
以下、実施形態２の医用画像処理装置１が行う医用画像処理方法の具体例について説明する。なお、この具体例は本実施形態をより簡単に理解するために挙げられたものであり、本実施形態を限定するものではない。
【００６０】
図５は、実施形態２の位置合わせ処理の一例を示したフローチャートである。図６は、抽出された特徴点の一例を示す説明図である。図７は、位置合わせ結果の一例を示す説明図である。
【００６１】
図５に示す位置合わせ処理は、例えば、第２の撮像画像において特定部１４により複数の経路が特定された場合に実行される。図５に示すように、算出部１３は、経路を構成する各分岐点の特徴量の集合に基づいて、第１の撮像画像の木構造と、複数の第２の撮像画像の木構造のそれぞれとの各経路の間の類似度を算出する（ステップＳ１００）。例えば、芯線で木構造を表す場合、ある芯線を構成する全ての分岐点の特徴量からなる集合で、この経路の特徴量を表し、第１の時相での撮像画像の基準経路と、第２の時相での撮像画像の複数の経路のそれぞれとの間の類似度を算出する。なお、第２の時相での撮像画像の複数の経路とは、第２の撮像画像において特定部１４により特定された複数の経路を指す。この複数の経路は、基準経路に対する候補の経路であるため、候補経路とも称される。
【００６２】
特定部１４は、類似度の高い順に経路候補を順位付けする（ステップＳ２００）。そして、特定部１４は、最も類似度が高い候補経路を基準経路に対応する経路として選択し、選択された候補経路を位置合わせ結果とするか、又は、類似度の高い順でトップから所定数の候補経路を選択し、選択した複数の候補経路を位置合わせ結果とする（ステップＳ３００）。
【００６３】
また、特定部１４は、経路を構成する各分岐点の特徴量に重み付けをすることができる。これにより、類似度をより正確に算出することができる。以下、図６を参照しながら具体例を説明する。
【００６４】
図６の例に示すように、抽出部１２はまず経路の特徴を抽出する。各分岐点の特徴をｆｎとする場合、経路の固有ベクトルは、全ての分岐点の特徴量の集合であり、Ｖｒ＝［ｆ０，ｆ１，ｆ２，ｆ３，ｆ４］と表される。ここで、「０，１，２，３，４」は経路の方向であり、そのうち、０は根部分から一つ目の分岐点を表し、１，２，３，４は順番に前の分岐点からの経路の次の分岐点を表す。つまり、「０，１，２，３，４」は経路の異なるレベル（経路上の分岐レベル）に対応する。
【００６５】
異なるレベルでの分岐点の重要性も異なるため、特徴点に対して、レベルに応じて重み付けする必要がある。つまり、Ｖｒ＝［ｗ０＊ｆ０，ｗ１＊ｆ１，ｗ２＊ｆ２，ｗ３＊ｆ３，ｗ４＊ｆ４］となる。そのうち、ｗ０、ｗ１、ｗ２、ｗ３、ｗ４はレベルに応じた重みである。例えば、レベルが大きくなるほど、重みを大きくしてもよい。なお、「＊」は、乗算を示す演算子である。
【００６６】
次に、算出部１３は、分岐点の特徴に基づいて、木探索の位置合わせアルゴリズムを行う。
【００６７】
ここでも同様に、各分岐点の特徴をｆｎ＝[ｘ１,ｘ２,ｘ３,ｘ４,ｘ５,ｘ６,ｘ７]Ｔとする。
【００６８】
算出部１３は基準経路を構成する各分岐点の固有ベクトルを用いて、基準経路の固有ベクトル（以下、基準固有ベクトルと称する）を取得する。また、算出部１３は各候補経路を構成する各分岐点の固有ベクトルを用いて、各候補経路の固有ベクトル（以下、候補固有ベクトルと称する）を取得する。ここで、各候補経路の固有ベクトルＶｎは、下記のように表される。
【００６９】
Ｖｎ＝［ｗ０’＊ｆ０，ｗ１’＊ｆ１，ｗ２’＊ｆ２，ｗ３’＊ｆ３，ｗ４’＊ｆ４］
なお、ｗ０’、ｗ１’、ｗ２’、ｗ３’、ｗ４’はレベルに応じた重みである。
【００７０】
その後、算出部１３は基準固有ベクトルと複数の候補固有ベクトルのそれぞれとに基づいて、候補固有ベクトルごとに、特徴空間における２つのベクトル（基準固有ベクトルと候補固有ベクトル）の間の類似度を算出する。２つのベクトル間の類似度の算出には、公知の方法、例えば、標準類似度の測定や他の類似度の測定を使用することができる。
【００７１】
特定部１４は候補固有ベクトルごとの類似度に基づいて候補経路を順位付けする。例えば、特定部１４は、類似度が高くなるほど順位が高くなるように候補経路を順位付けする。なお、特定部１４は、順位付けされた候補経路を出力してもよい。最後に、特定部１４は、順位付けの結果に基づいて、最も類似度が高い候補経路を基準経路に対応する経路として選択し、選択された候補経路を位置合わせ結果とするか、又は、類似度の高い順でトップから所定数の候補経路を選択し、選択した複数の候補経路を位置合わせ結果とする。
【００７２】
これにより、図７に示すように、第２の時相での画像において、第１の時相のある経路に対応する２つの候補経路が存在し、かつ、最後のレベルのみで分岐点が異なる場合、経路Ｌ１をベストマッチとし、経路Ｌ２を第２マッチとすることができる。ここでいうベストマッチとは、複数の候補経路のうち、最も類似度が高い候補経路を指す。また、第２マッチとは、複数の候補経路のうち、２番目に類似度が高い候補経路を指す。
【００７３】
本実施形態の算出部１３が基準経路を構成する各分岐点の特徴量の集合と各候補経路を構成する各分岐点の特徴量の集合とに基づいて、木構造の経路間の類似度を候補経路ごとに算出し、特定部１４が候補経路ごとの類似度に基づいて、経路の位置合わせを行う。これにより、木構造を含む画像の間の位置合わせを全自動かつ高精度で行うことができる。
【００７４】
（実施形態３）
ここで、上述した実施形態１及び実施形態２では、取得部１１が、従来の木構造を抽出する方法を利用して、撮像画像から木構造を抽出する場合について説明した。しかしながら、取得部１１は、従来の木構造を抽出する方法を用いずに、新たな方法を用いて、木構造を抽出してもよい。そこで、このような新たな方法を用いて木構造を抽出するような実施形態を、以下、実施形態３として説明する。実施形態３の取得部１１は、実施形態１又は２の取得部１１の木構造を抽出する動作を変更したものである。なお、以下、実施形態１、２においてすでに説明した内容について、繰り返して説明せずに、実施形態１、２における対応する説明を援引する。すなわち、以下、取得部１１が撮像画像から木構造を抽出する処理について説明し、その他の処理については説明を省略する。
【００７５】
図８は、実施形態３の取得部１１の構成の一例を示すブロック図である。本実施形態の取得部１１は、木構造を、当該木構造の根部分から外へ複数のレベルに分割し、シードポイントが存在するレベルを出発点とし、レベル毎の木構造の対応する部分を順次取得し、完全な木構造となるように、取得した部分を組み合わせるマルチレベル取得部１５と、前のレベルの取得結果を評価し、評価結果に基づいて現在のレベルの取得方法を特定する方法特定部１６と、を備える。
【００７６】
また、本実施形態の方法特定部１６は、シードポイントが存在するレベルの取得方法として領域拡張法を採用する。そして、方法特定部１６は、前のレベルの分割結果のフィードバックに基づいて、現在のレベルのパラメータを適応的に調整することで、現在のレベルの結果を適応的に取得する処理を、木構造全体の拡張が完成するまで繰り返す。
【００７７】
以下、図９を参照しながら、実施形態３の取得部１１が複数のレベルの木構造を抽出する具体例を説明する。
【００７８】
図９は、実施形態３において各レベルの木構造を取得する流れの一例を示したフローチャートである。図９に示すように、まず、マルチレベル取得部１５は、肺の３次元のＣＴデータを入力し（ステップＳ１０１）、気管におけるシードポイントを見つける（ステップＳ２０１）。そして、マルチレベル取得部１５は、シードポイントを出発点として第１レベルのセグメント結果を得る（ステップＳ３０１）。そして、マルチレベル取得部１５は、それをシードポイントの集合として、全ての大気管支を抽出し（ステップＳ４０１）、さらに周囲の小気管支を分割し（ステップＳ５０１）、完全な気道ツリーを完成する（ステップＳ６０１）。
【００７９】
具体例において、方法特定部１６は、シードポイントから、２Ｄ／３Ｄをミックスした領域成長方法を用いて、第１レベルのセグメント結果を取得し（主に気管の木構造のレベル０〜１を含む）、その後、第１レベルのセグメント結果に基づいて、木構造全体の体積範囲を推定し、第１レベルのセグメント結果をシードポイントの集合として、体積範囲に基づいて拡張過程において用いられるパラメータを適応的に調整し、３Ｄグレー領域拡張を行い、木構造全体の主な分枝を得る（レベル１〜４）。第１レベルと第２レベルのセグメント結果を基に、形態学的再構成されたパラメータの組み合わせを調整し、小気管支のセグメント結果をさらに取得する。
【００８０】
第１レベルから第２レベルへフィードバックする際に、木構造全体の体積範囲、ＣＴ値範囲、ＣＴ平均値などのパラメータを利用した。第２レベルから第３レベルへフィードバックする際に、初期の木構造の体積、ＣＴ平均値などのパラメータを利用した。
【００８１】
上述したステップＳ３０１において、マルチレベル取得部１５は、第１レベル（０レベル又は０〜１レベル）のセグメンテーション結果（例えば、気管および一部の主気管支）を得る。すなわち、ステップＳ３０１において、マルチレベル取得部１５は、第１レベルの木構造を抽出する。以下、ステップＳ３０１，Ｓ４０１，Ｓ５０１の処理の具体例について説明する。
【００８２】
例えば、ステップＳ３０１において、方法特定部１６は、シードポイントを含む２次元画像において、シードポイントの周辺の所定の領域内の画素のＣＴ値の平均値Ｍ（以下、ＣＴ平均値と称する）を算出する。そして、方法特定部１６は、上述の所定の領域内の中からＣＴ平均値を有する点を新たなシードポイントとして特定する。そして、マルチレベル取得部１５は、肺の３次元のＣＴデータにおいて、方法特定部１６により特定されたシードポイントを出発点として、（Ｍ−α）から（Ｍ＋α）までの範囲（以下、ＣＴ値範囲と称する）内のＣＴ値を有する画素の領域を第１レベルの木構造として特定する。
【００８３】
そして、ステップＳ４０１において、マルチレベル取得部１５は、ステップＳ３０１で抽出された第１のレベルの木構造をシードポイントの集合とし、各シードポイントを出発点として、領域拡張法により第２のレベルの全ての大気管支の木構造を抽出する。そして、マルチレベル取得部１５は、ステップＳ４０１で抽出された第２のレベル以下の大気管支の木構造をシードポイントの集合とし、各シードポイントを出発点として、領域拡張法により大気管支の周囲の小気管支を抽出し（ステップＳ５０１）、完全な木構造を完成する（ステップＳ６０１）。
【００８４】
具体例において、マルチレベル取得部１５は、特定した新たなシードポイントから、上述したように２次元画像及び３次元画像を処理対象とする領域拡張法を用いて、第１レベルのセグメンテーション結果を取得する（主に木構造のレベル０又は０〜１を含む）。その後、方法特定部１６は、第１レベルのセグメンテーション結果に基づいて、木構造全体の体積範囲を推定する。そして、方法特定部１６は、推定した体積範囲、上述のＣＴ値範囲及び上述のＣＴ平均値に基づいて、第１レベルの次のレベルである第２レベルの拡張過程において用いられるパラメータを適応的に調整する。例えば、方法特定部１６は、第２レベルの拡張過程において用いられるパラメータとして、上述の体積範囲、ＣＴ値範囲及びＣＴ平均値を採用する。そして、マルチレベル取得部１５は、第１レベルの木構造をシードポイントの集合とし、各シードポイントを出発点として、第２レベルの拡張過程において用いられるパラメータとして上述の体積範囲、ＣＴ値範囲及びＣＴ平均値等を用いて、３Ｄグレー領域を拡張し、第２レベルのセグメンテーション結果として、木構造全体の主な分枝（大気管支；レベル１〜４）を得る。
【００８５】
そして、方法特定部１６は、第１レベルのセグメンテーション結果及び第２レベルのセグメンテーション結果に基づいて、第２レベルの次のレベルである第３レベルの拡張過程において用いられるパラメータを適応的に調整する。例えば、方法特定部１６は、第３のレベルの拡張過程において用いられるパラメータとして、初期の木構造の体積及びＣＴ平均値を採用する。なお、ここでいう初期の木構造の体積とは、例えば、第１レベルのセグメンテーション結果に基づいて推定される木構造全体の体積を指す。そして、マルチレベル取得部１５は、第２レベルの木構造をシードポイントの集合とし、各シードポイントを出発点として、第３のレベルの拡張過程において用いられるパラメータとして上述の初期の木構造の体積及びＣＴ平均値を用いて、第３レベルのセグメンテーション結果として、第３レベルの木構造（小気管支）を取得する。
【００８６】
つまり、本実施形態は、異なるレベルからのフィードバックに応答することで、気管の木構造の多くのレベルおよび高精度な小気管支のセグメンテーション結果を保証する。
【００８７】
本実施形態における木構造の抽出方法は以下の効果を有する。木構造の拡張過程を、適応的なパラメータ調整で効果的に制御することができるため、最大値最小値を第１レベルのフィードバックから正確に定義することができる。更に、木構造にはすでにほとんどの（サブ）セグメントレベルの気管支が含まれているため、少ない操作で木構造の抽出を行う本実施形態の形態学的方法で十分に、多くの時間を節約することができる。
【００８８】
上記をまとめると、本実施形態の医用画像処理装置１は、内部フィードバックにより複数のレベルの気道の木構造を抽出することで、３次元のＣＴ画像から気道の木構造の抽出を自動的に行う。これにより、複数のレベル及び低誤差率の結果を得ることができる。また、異なる疾患および/または全てのスキャン条件に対してロバスト性を有する。
【００８９】
また、本実施形態における木構造の抽出方法では、第１レベル全体の結果を用いて木構造を拡張させるため、ロバスト性が高い。アルゴリズムの起動には１つのシードポイントが必要だが、その結果はシードポイントの選択に依存しない。例えば、上述したように、本実施形態では、最初のシードポイントの周辺の所定の領域内の画素のＣＴ値の平均値Ｍを算出し、所定の領域内の中からＣＴ平均値を有する点を新たなシードポイントとして特定する。ここで、最初のシードポイントの画素のＣＴ値が、周囲の画素と比較して極端に高い又は低い場合には、最初のシードポイントをそのまま用いて領域拡張法を行うと、第１レベルの気管支の木構造を精度良く抽出できない場合がある。しかしながら、本実施形態では、上述したように、ＣＴ平均値を有する点を新たなシードポイントとして特定し、特定したシードポイントを用いるため、気管支の木構造を精度良く抽出することができる。
【００９０】
（実施形態４）
ここで、上述した実施形態１〜３では、肺（気管支）全体で位置合わせを行う場合について例示したが、肺葉などの領域ごとに位置合わせを行うこともできる。そこで、このような実施形態を実施形態４として説明する。実施形態１、２又は３の各部に加え、実施形態４の医用画像処理装置１は更に、区画部を備え、特定の領域を選択して位置合わせを行うことができる。
【００９１】
図１０は、実施形態４の医用画像処理装置の構成の一例を示すブロック図である。図１０の例に示すように、実施形態４の医用画像処理装置１は、抽出部１２が処理を行う前に、木構造を複数の領域に区画する区画部１７を更に備える。これにより、抽出部１２は区画部１７に区画された各領域に基づいて、それぞれ分岐点の抽出を行うことができる。
【００９２】
ここで、区画部１７は解剖学的区画に基づいて、木構造を複数の肺葉の領域に区画することができる。これにより、後続の処理において、各肺葉の領域に基づいてそれぞれ位置合わせを行うことができる。このような肺葉レベルの位置合わせを肺葉位置合わせという。ここで、肺葉位置合わせは、肺全体を位置合わせする場合よりも処理量が少ない。
【００９３】
また、区画部１７は更に、利用者の指定や他の分析装置の結果などに基づいて注目領域のみを区画することができる。これにより、抽出部１２は、注目領域のみに対して分岐点の抽出を行えばよい。
【００９４】
図１１は、医用画像処理装置１により特定の領域内で行われる位置合わせの一例を説明するための図である。図１１に示すように、区画部１７は、肺葉を区画する。そして、後続の処理において、抽出部１２が、上述したように、区画された肺葉から分岐点を抽出し、算出部１３が、上述したように、分岐点の特徴量に基づいて、第１の撮像画像の分岐点と第２の撮像画像の分岐点との間の類似度を算出する。そして、特定部１４が、上述したように、分岐点の類似度に基づいて、第１の撮像画像の分岐点と第２の撮像画像の分岐点との間で対応する経路を特定する。
【００９５】
本実施形態では、木構造全体ではなく一部の領域において位置合わせが行われる。そのため、この位置合わせ結果を用いれば、異なる時相で取得された複数の画像から同一のマーカー（例えば解剖学的特徴点）をより正確に見つけることができる。
【００９６】
（変形例）
各実施形態を説明したが、各実施形態は、上述した構成に限定されるものではなく、更に以下のような変形も可能である。
【００９７】
例えば、上述した実施形態において、特定部１４は特定ステップＳ４で、抽出部１２により抽出された分岐点を分岐点候補とし、第１の撮像画像における分岐点と、第２の撮像画像における分岐点候補との間の類似度に基づいて、各分岐点候補に優先順位をつけることができる。
【００９８】
また、例えば、上述した実施形態において、算出部１３は木構造における分岐点の位置に基づいて、各分岐点に重み付けをし、各分岐点の間の類似度を算出することができる。
【００９９】
更に、例えば、上述した実施形態において、算出部１３は、木構造のレベルに基づいてレベル分けをし、同一のレベルの分岐点の間の類似度のみを算出することができる。
【０１００】
以上、各実施形態について説明した。各実施形態によれば、異なる時相における被検体の木構造を含む撮像画像を取得し、気管支の木構造に応じて木構造の探索を行い、肺（又は肺葉）の芯線の分岐点の特徴量を抽出し、分岐点の座標、分枝の長さ、分枝の角度、所定の気管支断面と分岐点を含む気管支断面との類似度、気管支断面の面積、気管支断面の形状などの情報を用いて、位置合わせを行うことで、木構造を含む３Ｄ画像の間の位置合わせを全自動かつ高精度で行うことができる。
【０１０１】
以上述べた少なくとも１つの医用画像処理装置および医用画像処理方法によれば、計算量を低減すると同時に画像のマッチング精度を確保することができる。
【０１０２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０３】
１      医用画像処理装置
１１    取得部
１２    抽出部
１３    算出部
１４    特定部
【図１】
0006595263.tif 000002
【図２】
0006595263.tif 000003
【図３】
0006595263.tif 000004
【図４】
0006595263.tif 000005
【図５】
0006595263.tif 000006
【図６】
0006595263.tif 000007
【図７】
0006595263.tif 000008
【図８】
0006595263.tif 000009
【図９】
0006595263.tif 000010
【図１０】
0006595263.tif 000011
【図１１】
0006595263.tif 000012
【図１２】
0006595263.tif 000013